(57)【要約】【課題】  押ボタン位置と支点位置との距離が異なる第１及び第２の２つのスイッチ要素について、押ボタンの押込みストロークなどを近似させる。【解決手段】  第１及び第２のスイッチ要素Ａ１，Ａ２の操作部材２０に、被操作片２１と、押ボタン２３と、作用部２４とを具備させる。第１及び第２の各スイッチ要素Ａ１，Ａ２において、押ボタン２３を操作部材２０から分離して直線経路上で押込み操作可能とする。押ボタン２３側の被操作片２１に対する押圧部３０とその押圧部３０が摺動する被操作片２１側の受部４０との少なくとも一方の表面をカム面とする。押ボタン２３の押込み工程での押ボタン２３の押込みストロークをカム面の形状によって制御する。【選択図】        図２
2008112687.tif 000002
【特許請求の範囲】
【請求項１】
タクトスイッチと、定位置の支点を中心として揺動可能でその支点に付与された弾性復元力によって初期位置に向けて常時弾発付勢されている操作部材とからなる複数のスイッチ要素の集合でなり、
個々のスイッチ要素の操作部材が、支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部とを有し、複数の上記スイッチ要素に、押ボタン位置と上記支点位置との離間距離が異なる第１及び第２のスイッチ要素が含まれ、かつ、第２スイッチ要素の上記離間距離が第１スイッチ要素の上記離間距離よりも長くなっている電気機器スイッチ装置であって、
上記作用部が、上記被操作片の背面から直角に延び出た突出片の先端部によって形成され、
第１及び第２の各スイッチ要素のそれぞれにおいて、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成されて、それぞれのスイッチ要素の押ボタンの押込み開始時点から上記作用部がタクトスイッチのタクトを押し下げることによるタクトスイッチのモード切換わり時点に至る押込み工程での押ボタンの押込みストロークが上記カム面の形状に応じて制御されるようになっていると共に、第１及び第２の各スイッチ要素の上記カム面の形状を相違させてそれらの各スイッチ要素の押込み工程での押ボタンの押込みストロークを同一に定めてあり、
第１スイッチ要素側では、上記被作用片の受部の表面に上記カム面が平坦に形成されているのに対し、第２スイッチ要素では、上記押圧部と上記受部との少なくとも一方の表面が、この第２スイッチ要素の上記押込み工程での押ボタンの押込みストロークを上記第１スイッチ要素のそれに合わせ得る形状のカム面として形成されていることを特徴とする電気機器スイッチ装置。
【請求項２】
タクトスイッチと、定位置の支点を中心として揺動可能でその支点に付与された弾性復元力によって初期位置に向けて常時弾発付勢されている操作部材とからなる複数のスイッチ要素の集合でなり、
個々のスイッチ要素の操作部材が、支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部とを有し、複数の上記スイッチ要素に、押ボタン位置と上記支点位置との離間距離が異なる第１及び第２のスイッチ要素が含まれている電気機器スイッチ装置であって、
第１及び第２の各スイッチ要素のそれぞれにおいて、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成されて、それぞれのスイッチ要素の押ボタンの押込み開始時点から上記作用部がタクトスイッチのタクトを押し下げることによるタクトスイッチのモード切換わり時点に至る押込み工程での押ボタンの押込みストロークが上記カム面の形状に応じて制御されるようになっていると共に、第１及び第２の各スイッチ要素の上記カム面の形状を相違させてそれらの各スイッチ要素の押込み工程での押ボタンの押込みストロークを同一に定めてあることを特徴とする電気機器スイッチ装置。
【請求項３】
第１スイッチ要素側では、上記被作用片の受部の表面に上記カム面が平坦に形成されているのに対し、第２スイッチ要素では、上記押圧部と上記受部との少なくとも一方の表面が、この第２スイッチ要素の上記押込み工程での押ボタンの押込みストロークを上記第１スイッチ要素のそれに合わせ得る形状のカム面として形成されている請求項２に記載した電気機器スイッチ装置。
【請求項４】
第２スイッチ要素の上記離間距離が第１スイッチ要素の上記離間距離よりも長い請求項２に記載した電気機器スイッチ装置。
【発明の詳細な説明】
【技術分野】
【０００１】
本発明は、電気機器スイッチ装置に関する。さらに詳しくは、押ボタンの押込み操作を通じてタクトスイッチのタクトが押し下げられるようになっている複数のスイッチ要素の集合でなる電気機器スイッチ装置に関する。
【背景技術】
【０００２】
図７にこの種の従来の電気機器スイッチ装置に採用されている個々のスイッチ要素を部分縦断側面図で示してある。このスイッチ要素は、タクトスイッチ１０と操作部材２０とを備えている。タクトスイッチ１０はそのタクト１２が上向きに突き出る直立姿勢で図示していない配線基板に搭載されていて、タクト１２が初期位置から押し下げられることによってオフからオン、又は、オンからオフといったモード切換えが行われる。これに対し、操作部材２０は、弾性を備えた樹脂ヒンジによって形成されている支点Ｐの位置から延び出た板片状の被操作片２１と、この被操作片２１の背面から直角に延び出た突出片２２と、押ボタン２３と、を有していて、突出片２２の先端部下面がタクトスイッチ１０のタクト１２に上方から対峙する作用部２４として形成されていると共に、押ボタン２３が被操作片２１に一体に成形されてその被操作片２１の前面から前向きに突出している。また、支点Ｐの位置を挟んで被操作片２１の反対側に一体に成形されている取付け部２５が、電気機器キャビネットのフロントパネル１００に固着されていることに加え、押ボタン２３がそのフロントパネル１００に開設された孔部１１０に押込み可能に配備され、さらに、被操作片２１は、支点Ｐに付与された弾性復元力によってフロントパネル１００の内面に沿って起立する初期位置に向けて常時弾発付勢されている。
【０００３】
このスイッチ要素において、図７（Ｂ）のようにオペレータ（ユーザ）が手の指で押ボタン２３を矢印Ｆのように押し込むと、被操作片２１や作用片２２が初期位置（図７（Ａ）に示した位置）から矢印ａのように後退方向に揺動して傾くのに伴い、突出片２２の作用部２４によりタクト１２が押し下げられてタクトスイッチ１０のモードが切り換わる。なお、図７の符号Ｔ１は、タクト１２が押し下げられてタクトスイッチ１０のモードが切り換わったときのタクト１２の押下げ量を示している。
【０００４】
このスイッチ要素において、押込み工程での押ボタン２３の押込みストロークＳｘ、具体的には、押ボタン２３の押込み開始時点から作用部２４がタクトスイッチ１０のタクト１２を押し下げることによるタクトスイッチ１０のモード切換わり時点に至る押込み工程での押ボタン２３の押込みストロークＳｘは、押ボタン２３の中心位置（以下「押ボタン位置」という）及び支点Ｐの位置（以下「支点位置」という）の離間距離Ｂと支点位置及びタクト１２の中心位置（以下「タクト位置」という）の離間距離Ａとの関係によって定まり、両者の比であるＢ／Ａの値が大きくなれば押込みストロークＳｘが大きくなり、Ｂ／Ａの値が小さくなれば押込みストロークＳｘが小さくなる。
【０００５】
また、上記の押込み工程を行うことにより押ボタン２３を経てオペレータが手の指で感覚的に認識し得るクリック感が、タクトスイッチ１０のモード切換わり時点でタクトスイッチ１０が発揮する微少な衝撃感だけによって得られるものではなくて、その衝撃感を含めて押込み工程の全体を通じて行われる操作部材２０の挙動（たとえば揺動速度分布）によって形成されるものであるとすると、そのクリック感は、押ボタン２３の押込みストロークＳｘによって大きな影響を受ける。
【０００６】
したがって、オペレータがスイッチ要素を使用するときの使用感の良否は、押込み工程での押込みストロークＳｘやクリック感によって影響を受けることになる。このことを逆に云えば、スイッチ要素の使用感を向上させるためには、そのスイッチ要素が、構成上、押込み工程での押込みストロークＳｘ、あるいは、操作部材２０の挙動などに依存するクリック感を適切に制御できるようになっていることが有益であると云える。
【０００７】
図７を参照して説明した構造を持つスイッチ要素は、ＤＶＤドライブやテレビジョン受信機といった様々な電気機器に多数装備されている。この事例を図６を参照してさらに説明する。
【０００８】
図６はＤＶＤドライブでなる電気機器での複数のスイッチ要素の配置例を示した説明図である。同図の電気機器では、タクトスイッチ１０が同一の高さレベルで複数箇所に横並び配列されていて、それぞれのタクトスイッチ１０…に対して割り当てられた１つずつの押ボタン２３が、フロントパネル１００の異なる孔部１１０…に各別に配備されている。そして、それら複数のスイッチ要素には、フロントパネル１００の外観デザイン上の制約や都合などによって、押ボタン２３からタクトスイッチ１０までの垂直距離Ｄ１，Ｄ２の異なるものが含まれていて、その垂直距離Ｄ１，Ｄ２が相違しているスイッチ要素の相互間では、図７（Ａ）に示した押ボタン位置と支点位置との離間距離Ｂも必然的に相違している。
【０００９】
そこで、押ボタン位置と支点位置との離間距離Ｂが短いスイッチ要素を第１スイッチ要素とし、その離間距離が長いスイッチ要素を第２スイッチ要素とすると、押込み工程での押ボタンの押込みストロークＳｘ（図７（Ｂ）参照）は、第２スイッチ要素が第１スイッチ要素よりも長くなり、また、クリック感を第１スイッチ要素と第２スイッチ要素とで異なったものになる。
【００１０】
一方、図７を参照して説明したスイッチ要素に対し、タクトスイッチを操作するためのタクトノブ（上記押ボタンに相当）に傾斜した接触面を具備させ、タクトノブを押下げ操作したときにその接触面がタクトスイッチのタクトに作用するようにする技術が知られていて（たとえば、特許文献１参照）、このものによると、平坦な接触面の傾斜角度を変えたり、接触面を円弧面に変更したりすることによって、タクトスイッチを操作するためのタクトノブの押込みストロークが変わるとされている。
【００１１】
また、支点・作用点間距離が異なる操作ノブが混在しているスイッチパネルのノブ構造に関し、支点・作用点間距離が最も短い操作ノブよりもその距離の長い操作ノブに反力増加手段を設けることによって、両者の操作力を同一にするという技術が従来より知られている（たとえば、特許文献２参照）。
【００１２】
さらに、押ボタン押圧構造に関し、タクトスイッチのタクトを押し下げるための押下げ片の揺動中心の位置を押ボタンに対する遠近方向に変更すると、押ボタンの押込みストロークを増減調節することができるということが示唆されている（たとえば、特許文献３参照）。
【特許文献１】実開平６−１３０３１号公報
【特許文献２】特開平１０−６４３５７号公報
【特許文献３】実用新案登録第３０９４９１５号公報
【発明の開示】
【発明が解決しようとする課題】
【００１３】
ところで、同一の電気機器に装備されている複数のスイッチ要素において、上記した第１スイッチ要素と第２スイッチ要素との関係のように押込み工程での押ボタンの２３の押込みストロークＳｘが相違していると、オペレータにとっては第１及び第２スイッチ要素の相互間で押ボタン２３を押し込む際のクリック感が相違してその使用感が損なわれるということが判っている。この使用感を向上させるには、第１スイッチ要素と第２スイッチ要素との押込み工程での押ボタンの２３の押込みストロークＳｘを近似させることのできる対策を講じることによって両者のクリック感を近似させることが有益である。
【００１４】
この点に関し、特許文献１によって提案されているものは、サイズの制約を受けやすいタクトノブ側の平坦な接触面の傾斜角度を変えたりその接触面を円弧状に湾曲させたりすることによって、タクトノブの押込みストロークを調節するものに過ぎないために、押込みストロークの調節幅が狭くなり、しかも、接触面よって直接に倒伏姿勢のタクトスイッチのタクトを押し下げるというものであるので、押込み工程でのタクトの挙動を変化させる上での自由度に乏しいことが明らかであり、そのために、押込み工程でのタクトノブの押込みストロークやクリック感を幅広い範囲で調節することが困難であると云える。
【００１５】
また、特許文献２によって提案されているものは、反力増加手段を余分に追加することが必要であるために部品点数が増え、そのことが部品コストや組立工数の増大による組立コストの高騰につながるという問題がある。さらに、特許文献３によって提案されているものは、押下げ片の揺動中心の位置を変更するものであるので、押下げ片の揺動中心の位置の変更に伴って押ボタンに対するオペレータによる押込み力も変化することになって、クリック感を一様に定めることに困難がある。
【００１６】
その上、特許文献１、同２、同３によって提案されているものは、すべて押ボタンの押込み動作が所定位置の支点を中心とする揺動運動によって行われるようになっているために、オペレータによる押込み感覚に違和感が生じることを避けられないということか云える。
【００１７】
そこで、本発明は、図７を参照して説明した従来例の構成を基本構成として有する複数のスイッチ要素を備えるスイッチ装置において、図６を参照して説明したように押ボタン２３からタクトスイッチ１０までの垂直距離Ｄ１，Ｄ２の異なる第１及び第２のスイッチ要素が含まれている場合に、それら両方のスイッチ要素についての押込み工程での押ボタン２３の押込みストロークを近似させると共に、両方のスイッチ要素のクリック感も近似させることによって、オペレータによる使用感を向上させることのできる電気機器スイッチ装置を提供することを目的とする。
【課題を解決するための手段】
【００１８】
本発明に係る電気機器スイッチ装置は、タクトスイッチと、定位置の支点を中心として揺動可能でその支点に付与された弾性復元力によって初期位置に向けて常時弾発付勢されている操作部材とからなる複数のスイッチ要素の集合でなり、個々のスイッチ要素の操作部材が、支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部とを有し、複数の上記スイッチ要素に、押ボタン位置と上記支点位置との離間距離が異なる第１及び第２のスイッチ要素が含まれている。
【００１９】
そして、第１及び第２の各スイッチ要素のそれぞれにおいて、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成されて、それぞれのスイッチ要素の押ボタンの押込み開始時点から上記作用部がタクトスイッチのタクトを押し下げることによるタクトスイッチのモード切換わり時点に至る押込み工程での押ボタンの押込みストロークが上記カム面の形状に応じて制御されるようになっていると共に、第１及び第２の各スイッチ要素の上記カム面の形状を相違させてそれらの各スイッチ要素の押込み工程での押ボタンの押込みストロークを同一に定めてある。この発明において、カム面に湾曲面を採用した場合には、曲率の異なる湾曲面は形状の異なるカム面の範疇に入るものとし、カム面に平坦面を採用した場合には、押ボタンの押込み方向に対する傾斜角度の異なる平坦面は形状の異なるカム面の範疇に入るものとする。
【００２０】
上記構成であると、押込み工程で押ボタンが直線経路上で押し込まれるために、オペレータによる押込み感覚に違和感がなくなって押ボタンの押込み操作に関係する使用感が向上する。
【００２１】
この発明では、特に、押ボタン側の押圧部と被操作片側の受部とのうちの少なくとも一方の表面をカム面とし、そのカム面の形状を相違させるという構成を採用することによって、押込み工程での第１及び第２のスイッチ要素の押ボタンの押込みストロークを同一に定めてある。このため、たとえば押込み工程での第１スイッチ要素の被操作片の挙動が第２スイッチ要素の被操作片の挙動にそのまま反映するようにカム面の形状を定めることも可能であるので、そのようにすることによって第２スイッチ要素の被操作片の挙動を第１スイッチ要素の被操作片の挙動と同一にすることが可能である。したがって、この発明によると、第１及び第２のスイッチ要素の押ボタンの押込みストロークを同一に定めることができるだけでなく、被操作片の挙動による影響を受けるクリック感をも両者で同一に定めて、オペレータによる使用感を向上させることが可能である。
【００２２】
また、この発明では、押ボタン側の押圧部によってタクトスイッチのタクトを直接に押し下げるという構造ではなく、押ボタンとタクトスイッチとの間に、サイズについての制約が少ない操作部材を介在させ、その操作部材の被操作片側の受部に上記押圧部を摺動させる構成を採用してあるために、カム面の形状変化の自由度が高まって押込み工程の全体を通じて行われる被操作片の挙動に依存するクリック感を幅広い範囲で調節することができるようになり、そのことが使用感の調節を容易に行うことに役立つ。
【００２３】
本発明では、第１スイッチ要素側では、上記被作用片の受部の表面に上記カム面が平坦に形成されているのに対し、第２スイッチ要素では、上記押圧部と上記受部との少なくとも一方の表面が、この第２スイッチ要素の上記押込み工程での押ボタンの押込みストロークを上記第１スイッチ要素のそれに合わせ得る形状のカム面として形成されている、という構成を採用することが可能である。そして、この場合には、第２スイッチ要素の上記離間距離を第１スイッチ要素の上記離間距離よりも長く定める、という構成を採用することが可能である。この構成であれば、第１スイッチ要素のカム面の形状が単純化されてそれだけ第１スイッチ要素を安価に製作することが可能になる。
【００２４】
本発明に係る電気機器スイッチ装置は、タクトスイッチと、定位置の支点を中心として揺動可能でその支点に付与された弾性復元力によって初期位置に向けて常時弾発付勢されている操作部材とからなる複数のスイッチ要素の集合でなり、個々のスイッチ要素の操作部材が、支点位置から延び出た被操作片と、押込み操作を通じて上記被操作片を上記支点を中心に初期位置から後退方向に揺動させる押ボタンと、上記操作片に具備されてその操作片の後退方向への揺動動作を通じて上記タクトスイッチのタクトを押し下げる作用部とを有し、複数の上記スイッチ要素に、押ボタン位置と上記支点位置との離間距離が異なる第１及び第２のスイッチ要素が含まれ、かつ、第２スイッチ要素の上記離間距離が第１スイッチ要素の上記離間距離よりも長くなっている電気機器スイッチ装置であって、上記作用部が、上記被操作片の背面から直角に延び出た突出片の先端部によって形成され、第１及び第２の各スイッチ要素のそれぞれにおいて、上記押ボタンが上記操作部材から分離されてその押ボタンが直線経路上で押込み操作可能とされ、その押ボタン側の上記被操作片に対する押圧部とその押ボタンの押込み操作時に上記押圧部が摺動する上記被操作片側の受部との少なくとも一方の表面がカム面として形成されて、それぞれのスイッチ要素の押ボタンの押込み開始時点から上記作用部がタクトスイッチのタクトを押し下げることによるタクトスイッチのモード切換わり時点に至る押込み工程での押ボタンの押込みストロークが上記カム面の形状に応じて制御されるようになっていると共に、第１及び第２の各スイッチ要素の上記カム面の形状を相違させてそれらの各スイッチ要素の押込み工程での押ボタンの押込みストロークを同一に定めてあり、第１スイッチ要素側では、上記被作用片の受部の表面に上記カム面が平坦に形成されているのに対し、第２スイッチ要素では、上記押圧部と上記受部との少なくとも一方の表面が、この第２スイッチ要素の上記押込み工程での押ボタンの押込みストロークを上記第１スイッチ要素のそれに合わせ得る形状のカム面として形成されている、という構成を採用することによっていっそう具体化される。この発明の構成や作用などについては後述する実施形態を参照して詳細に説明する。
【発明の効果】
【００２５】
以上のように、本発明によると、押ボタンからタクトスイッチまでの距離の異なる第１及び第２のスイッチ要素が含まれている電気機器スイッチ装置において、それら両方のスイッチ要素についての押込み工程での押ボタンの押込みストロークを、部品点数を増やすことなく近似させ、しかも、両方のスイッチ要素のクリック感も近似させることのできる電気機器スイッチ装置を提供することが可能になる。そのため、オペレータにとっては、複数のスイッチ要素の使用感が一様になってその電気機器の使い勝手が向上するという利点が得られる。
【発明を実施するための最良の形態】
【００２６】
図１は本発明に係るスイッチ装置に含まれる第１スイッチ要素Ａ１の構成例の部分縦断側面図、図２は同スイッチ装置に含まれる第２スイッチ要素Ａ２の構成例の部分縦断側面図である。
【００２７】
図１及び図２の各スイッチ要素Ａ１，Ａ２の構成は次の通りである。すなわち、各スイッチ要素Ａ１，Ａ２はタクトスイッチ１０と操作部材２０とを備えている。タクトスイッチ１０はそのタクト１２が上向きに突き出る直立姿勢で図示していない配線基板に搭載されていて、タクト１２が初期位置から押し下げられることによってモード切換えが行われるようになっている。操作部材２０は、弾性を備えた樹脂ヒンジによって形成されている支点Ｐの位置から上方へ延び出た板片状の被操作片２１と、この被操作片２１の背面から直角に延び出た突出片２２と、押ボタン２３と、を有していて、突出片２２の先端部下面がタクトスイッチ１０のタクト１２に上方から対峙する作用部２４として形成されている。また、支点Ｐの位置を挟んで被操作片２１の反対側に一体に成形されている取付け部２５が電気機器キャビネットのフロントパネル１００に固着されている（固着部分は不図示）ことに加え、押ボタン２３がフロントパネル１００に開設された孔部１１０に配備されている。さらに、被操作片２１は、支点Ｐに付与された弾性復元力によってフロントパネル１００の内面に沿って起立する初期位置に向けて常時弾発付勢されている。さらに、押ボタン２３が被操作片２１から分離された別体のものとして構成されていて、この押ボタン２３が、上記孔部１１０又はその他のガイドにより案内されて直線経路上で押下げ操作可能になっている。
【００２８】
これら第１及び第２の各スイッチ要素Ａ１，Ａ２において、オペレータが手の指で押ボタン２３を矢印Ｆのように押し込むと、被操作片２１や作用片２２が初期位置から矢印ａのように後退方向に揺動して傾くのに伴い、突出片２２の作用部２４によりタクト１２が押し下げられてタクトスイッチ１０のモードが切り換わる。そして、オペレータが手の指で押ボタン２３を押し込んだときには、矢印Ｌのように押ボタン２３がまっすぐに後退するために、オペレータによる押込み感覚に違和感がなくなって押ボタン２３の押込み操作に関係する使用感が向上する。
【００２９】
さらに、第１及び第２の各スイッチ要素Ａ１，Ａ２にあっては、押ボタン２３の背面、言い換えると、押ボタン２３側の被操作片２１に対する押圧部３０の表面（押圧部表面）がカム面として形成されているのに対し、押ボタン２３の押込み時にその押圧部３０の表面が被操作片２１側の受部４０の表面を摺動するようになっている。そして、押ボタン２３の押込み工程、具体的には、押ボタン２３の押込み開始時点から作用部２４がタクトスイッチ１０のタクト１２を押し下げることによるタクトスイッチ１０のモード切換わり時点に至る押込み工程では、押ボタン２３の押込みストロークが、押圧部３０の表面でなるカム面の形状に応じて制御されるようになっていることに加え、押ボタン２３と被操作片２１と突出片２２の作用部２４とを含む操作部材２０の挙動とが上記カム面の形状に応じて制御されるようになっている。
【００３０】
図１及び図２に具体的に示した第１及び第２の各スイッチ要素Ａ１，Ａ２において、押圧部表面でなるカム面は側面視円弧状に描かれているけれども、これはカム面形状を説明的かつ模式的に表しているに過ぎず、カム面の形状はこれに限定されない。また、図１及び図２に示した受部４０の表面は平坦状に描かれているけれども、これについても受部４０の表面形状を説明的かつ模式的に表しているに過ぎず、受部４０の表面形状もこれに限定されず、たとえば円弧状やその他の形状のカム面として形成されることもある。すなわち、第１及び第２の各スイッチ装置Ａ１，Ａ２において、押ボタン２３側の押圧部３０と被操作片２１側の受部４０とは、少なくとも一方の表面だけがカム面として形成されておればよい。具体的には、押圧部３０の表面だけをカム面として受部４０はそのカム面に倣う相手方摺動突起として形成されていても、その逆に、受部４０の表面だけをカム面として押圧部３０はそのカム面に倣う相手方摺動突起として形成されていても、さらには、押圧部３０と受部４０の両者の表面をカム面としてそれら双方のカム面が相対的に摺動する構成とさていてもよい。
【００３１】
上記のように、第１及び第２の各スイッチ要素Ａ１，Ａ２において、押ボタン２３側の押圧部３０と被操作片２１側の受部４０との少なくとも一方の表面をカム面として形成しておくと、それぞれの各スイッチ要素Ａ１，Ａ２では、押込み工程での押ボタン２３の押込みストロークがカム面の形状に応じて変化し、被操作片２１の挙動もカム面の形状に応じて制御される。したがって、それぞれの各スイッチ要素Ａ１，Ａ２について、カム面の形状を適切に定めておくことによって、押込み工程での押ボタン２３の押込みストロークを近似させることが可能になり、併せて、押込み工程での被操作片２１などの挙動も近似させることが可能になる。
【００３２】
この点を図３及び図４を参照して具体的に説明する。図３は受部４０を曲面でなるカム面とし押圧部３０を相手方摺動突起とした事例の説明図、図４は受部４０を平坦なカム面とし押圧部３０を相手方摺動突起とした事例の説明図である。なお、図３及び図４にあっては、図１及び図２に示した突出片２２やタクトスイチ１０などは図示省略してある。
【００３３】
図３の事例において、カム面を形成している受部４０の表面は、押込み工程において当該受部４０に対する押圧部３０の摺動方向（図中では矢印ｍで示した方向）に沿って並ぶ形状の異なる複数の区画の集合でなる。具体的には、摺動方向ｍに対して傾斜して前向きに突き出た平坦な第１区画４１と、摺動方向ｍに対して略平行な平坦な第２区画４２と、摺動方向ｍに対して傾斜して前向きに突き出た第３区画４３との集合によってカム面が形成されている。このような形状のカム面を受部４０に具備させておくと、押込み工程で被操作片２１が支点Ｐを中心に矢印ａのように後退方向に揺動して傾くときに、被操作片２１の揺動速度がカム面に対する押圧部３０の接触位置に応じて変化する。すなわち、被操作片２１が、実線で示した初期位置から破線イで示した位置までの第１段階の揺動ではカム面の第１区画４１の傾きに応じた速度で揺動し、破線イで示した位置から一点鎖線ロで示した位置までの第２段階の揺動ではカム面の第２区画４２の傾きに応じた速度で揺動し、一点鎖線ロで示した位置から二点鎖線ハで示した位置までの第３段階の揺動ではカム面の第３区画４３の傾きに応じた速度で揺動する。そして、被操作片２１が二点鎖線ハで示した位置まで揺動したときに押込み工程が終了して図２に示したタクトスイッチ１０のタクト１２が押し下げられてそのモード切換わりが行われるとすると、押込み工程での押ボタン２３の押込みストロークは同図に符号Ｓｘ１で示した長さになる。なお、同図には、上記した第１〜第３の各段階での押ボタン２３の押込みストロークを符号Ｓ１，Ｓ２，Ｓ３で示してある。
【００３４】
このような図３の事例に対し、図４の事例では、受部４０が平坦なカム面として形成され、押圧部３０が相手方摺動突起として形成されているため、押込み工程で図１のタクトスイッチ１０のタクト１２が押し下げられてそのモード切換えが行われるまでの被操作片２１の初期位置からの揺動角度は図２の場合よりも大きくなる。したがって、図４の事例では、押込み工程が終了した段階での押ボタン２３の押込みストロークは同図に符号Ｓｘ２で示した長さになり、この押込みストロークＳｘ２は、図３の事例での押込みストロークＳｘ１よりも大きくなる（Ｓｘ１＜Ｓｘ２）。
【００３５】
以上説明した図３の事例と図４の事例とを対比することにより、カム面の形状を変化させることによって押込み工程での押ボタン２３の押込みストロークが変化することが判る。同様に、押込み工程の全体に亘る被操作片２１の揺動速度もカム面の形状に見合って逐次変化することも判る。したがって、図１に示した第１スイッチ要素Ａ１や図２に示した第２スイッチ要素において、両者に具備させるカム面の形状を相違させ、かつ、それぞれのカム面の形状を適切に定めておくことによって、押ボタン２３からタクトスイッチ１０までの距離（図６に示したＤ１，Ｄ２に相当する距離）の異なる各スイッチ要素Ａ１，Ａ２での押込み工程での押ボタン２３の押込みストロークを近似させたり、押込み工程での被操作片２１の挙動を近似させたりすることが可能になると云える。
【００３６】
そして、そのように押ボタン２３からタクトスイッチ１０までの距離の異なる各スイッチ要素Ａ１，Ａ２での押込みストロークや押込み工程での被操作片２１の挙動を近似させるためには、たとえば次の手法を採用することが有益である。すなわち、第１スイッチ要素Ａ１についての押込みストロークや押込み工程での被操作片２１の挙動を基準とし、第１スイッチ要素Ａ１について、押込み工程途中の複数の時点での押ボタン２３の押込みストロークの実測値と、それぞれの時点での被操作片２１の作用部２４によるタクトスイッチ１０のタクト１２（図１参照）の押下げ量の実測値とを関連付けたデータを作成し、そのデータに含まれる第１スイッチ要素についての押込みストロークの実測値及びタクト１２の押下げ量の実測値と同一の値が第２スイッチ要素Ａ２についても得られるように、第２スイッチ要素Ａ２のカム面の形状を定めることが有益である。
【００３７】
したがって、たとえば、図１に示した第１スイッチ要素Ａ１側では、受部４０の表面にカム面を平坦に形成するのに対し、図２に示した第２スイッチ要素Ａ２では、押圧部３０と受部４０との少なくとも一方の表面のカム面の形状を上記手法によって定めることによって、第２スイッチ要素Ａ２の押ボタン２３の押込みストロークやクリック感を第１スイッチ要素Ａ１のそれに容易に合わせることが可能になる。
【００３８】
図３の事例では、受部４０を曲面でなるカム面とし押圧部３０を相手方摺動突起としてあるけれども、この点は、図５のように押圧部３０と受部４０との両方を滑らかに連続する曲面でなるカム面とすることも可能である。また、図３や図４のように押圧部３０及び受部４０の一方だけにカム面を具備させる場合に、そのカム面を押圧部３０及び受部４０のうちのいずれに形成するかということ、そのカム面を上記した集合によって形成するか単一に形成するかということ、そのカム面を角張った形状にするか、滑らかに連続する曲面によって形成するかということ、などについては、所望する使用感を勘案して適宜選定すべき事項である。これらの点については、図５のように押圧部３０及び受部４０の両方にカム面を具備させる場合についても同様である。
【００３９】
図１の第１スイッチ要素Ａ１や図２の第２スイッチ要素Ａ２は、操作部材２０から分離した押ボタン２３とタクトスイッチ１０との間に作用部２４を備える被操作片２１を介在させてあり、被操作部２１のサイズについての制約は、押ボタン２３のサイズについての制約よりも少ない。そのため、被操作片の受部４０の表面によって形成することのできるカム面のサイズを大きくするが容易に可能であり、それだけカム面の形状の選択自由度が増大するという利点がある。その結果、押込み工程での押ボタン２３の押込みストロークＳｘ１，Ｓｘ２（図３又は図４参照）の調節幅が拡がるだけでなく、操作部材２０の挙動によって影響を受けるクリック感の調節幅も拡がる。
【００４０】
なお、図１〜図７を通じて同一又は相応する要素又は部分には同一符号を付すことによって説明を簡略化してある。
【図面の簡単な説明】
【００４１】
【図１】本発明に係るスイッチ装置に含まれる第１スイッチ要素の構成例の部分縦断側面図である。
【図２】同スイッチ装置に含まれる第２スイッチ要素の構成例の部分縦断側面図である。
【図３】受部を曲面でなるカム面とし押圧部を相手方摺動突起とした事例の説明図である。
【図４】受部を平坦なカム面とし押圧部を相手方摺動突起とした事例の説明図である。
【図５】受部と押圧部とを共に滑らかな曲面でなるカム面とした事例の説明図である。
【図６】電気機器での複数のスイッチ要素の配置例を示した説明図である。
【図７】（Ａ）（Ｂ）は従来の電気機器スイッチ装置に採用されているスイッチ要素の部分縦断側面図である。
【符号の説明】
【００４２】
Ａ１  第１スイッチ要素
Ａ２  第１スイッチ要素
１０  タクトスイッチ
２０  操作部材
２１  被操作片
２３  押ボタン
１２  タクト
２４  作用部
２２  突出片
４０  受部
３０  押圧部
Ｂ  押ボタン位置と支点位置との離間距離
Ｓｘ，Ｓｘ１，Ｓｘ２  押込みストローク
Ｐ  支点
【図１】
2008112687.tif 000003
【図２】
2008112687.tif 000004
【図３】
2008112687.tif 000005
【図４】
2008112687.tif 000006
【図５】
2008112687.tif 000007
【図６】
2008112687.tif 000008
【図７】
2008112687.tif 000009